(57)【要約】      （修正有）【課題】身体の小さな幼児や子供でも腕を自由に動かしやすく、延いては外れにくい腕輪型の子供用浮具を提供する。【解決手段】上記課題を解決するために、腕の挿通空間の周方向に配されそれぞれが独立してエアーの貯留が可能な二つのエアー貯留袋０４０２、０４０３と、前記二つのエアー貯留袋の間を渡す帯状部であって、一のエアー貯留袋と他のエアー貯留部との渡し方向における中間近傍にて帯幅がもっとも狭くなるように構成される帯状部０４０４と、からなる子供用浮具０４０１などを提供する。【選択図】図４
0003204630.tif 000002
【実用新案登録請求の範囲】
【請求項１】
腕の挿通空間の周方向に配されそれぞれが独立してエアーの貯留が可能な二つのエアー貯留袋と、
前記二つのエアー貯留袋の間を渡す帯状部であって、一のエアー貯留袋と他のエアー貯留部との渡し方向における中間近傍にて帯幅がもっとも狭くなるように構成される帯状部と、
からなる子供用浮具。
【請求項２】
前記帯状部は、渡し方向における中間近傍にて前記二つのエアー貯留袋から延在する帯状半体が溶着されて構成されている請求項１に記載の子供用浮具。
【請求項３】
前記エアー貯留袋のエアー貯留袋どうしの接続縁の長さはエアー貯留袋の最大幅よりも狭い請求項１又は２に記載の子供用浮具。
【考案の詳細な説明】
【技術分野】
【０００１】
本件考案は、主に腕に挿通して用いる浮具であって、とくに子供が使用することを想定した浮具に関する。
【背景技術】
【０００２】
一般的な浮輪は、ドーナツ状の浮き袋の輪の中に身体を入れて水上に浮かぶために用いられるものである。ところが、このような浮輪は、輪の中に身体を保持するため両腕で輪を抱えていなければならず、両腕の自由が制限される。
【０００３】
そこで、浮き袋の輪を小さくし、その輪の中に腕を通して使用する浮具（以下、本明細書においては、腕輪型の浮具という）がある。この腕輪型の浮具を両腕に通すことで、浮力を得るとともに両腕を自由に動かすことも可能になる。この腕輪型の浮具は、輪の中に身体を保持することが容易ではない子供や幼児にとくに使用されることが多い。
【先行技術文献】
【非特許文献】
【０００４】
【非特許文献１】「アームヘルパー」、インターネット＜URL:：https://www.toeilight.co.jp/products/search.php?action_Public_Product_Detail=true&s_type=&kanri=14024&p=331&start=＞
【考案の開示】
【考案が解決しようとする課題】
【０００５】
図１は、腕輪型の浮具を装着した幼児を描いた概念図である。図示するように、腕を前後から挟むように二つの浮き袋と、それらの浮き袋を渡す帯とで輪を構成し、その輪の中に腕を通すものである。
【０００６】
図２は、従来の腕輪型の浮具を示す概念図である。図示するように、この「浮具」（０２０１）は、前後に独立してエアーを貯留するための「浮き袋」（０２０２、０２０３）と、それぞれの浮き袋を渡し、輪を構成するための「帯」（０２０４）と、からなっている。また、図３は、従来の腕輪型の浮具を、帯側から視た概念図である。図示するように、この「浮具」（０３０１）の「帯」（０３０２）は、その幅が一定である。
【０００７】
ところで、このような浮具を幼児が装着した場合、幼児の脇から肘までの距離が短いため、脇から肘までの間に帯がその幅方向にて収まらないことが多々生じる。これにより、肘の動きが制限されるのみならず、肘を曲げられないことにより、上腕に浮具をとどめておくことができず、手首側に浮具が脱落して腕から外れてしまいかねない。浮具の脱落は子供の安全を保障する上でもっとも回避すべき事項である。
【０００８】
そこで、本発明では、身体の小さな幼児や子供でも腕を自由に動かしやすく、延いては外れにくい腕輪型の浮具を提供することを課題とする。
【課題を解決するための手段】
【０００９】
以上の課題を解決するため、腕の挿通空間の周方向に配されそれぞれが独立してエアーの貯留が可能な二つのエアー貯留袋と、前記二つのエアー貯留袋の間を渡す帯状部であって、一のエアー貯留袋と他のエアー貯留部との渡し方向における中間近傍にて帯幅がもっとも狭くなるように構成される帯状部と、からなる子供用浮具などを提供する。
【考案の効果】
【００１０】
本件考案によれば、帯状部の幅を狭くすることで、腕の短い子供であっても腕の自由を制限しにくくし、延いては腕から浮具が脱落することを防止することができる。
【図面の簡単な説明】
【００１１】
【図１】腕輪型の浮具を装着した幼児を描いた概念図
【図２】従来の腕輪型の浮具を示す概念図
【図３】従来の腕輪型の浮具を、帯側から視た概念図
【図４】本実施例の子供用浮具の一例を示す概念図
【図５】本実施例の子供用浮具を挿通方向から視た概念図
【図６】本実施例の子供用浮具を、帯状部を正面視にて示した場合の概念図
【図７】本実施例の子供用浮具を、エアー貯留袋を正面視にて示した場合の概念図
【図８】従来の腕輪型浮具を示す概念図
【図９】図７及び図８に示した浮具における接続縁と辺縁との交差箇所を、エアーを貯留しない状態で示す概念図
【図１０】二つのエアー貯留袋と帯状部とを環状に閉じて挿通空間を閉じる前の段階の本実施例の子供用浮具構造を示す概念図
【考案を実施するための最良の形態】
【００１２】
以下に本件考案の実施例を説明する。なお、本件考案はこれらの実施例に限定されるものではなく、その要旨を逸脱しない範囲において、種々なる態様で実施しうる。
≪実施例≫
＜概要＞
【００１３】
図４は、本実施例の子供用浮具の一例を示す概念図である。図示するように、「子供用浮具」（０４０１）は、それぞれが独立してエアーの貯留が可能な二つの「エアー貯留袋」（０４０２、０４０３）と、それら二つのエアー貯留袋の間を渡す「帯状部」（０４０４）とからなる。本図は、二つのエアー貯留袋にエアーが貯留されている状態を示している。なお、子供とは幼児を含む意味である。
【００１４】
そして、帯状部は、一のエアー貯留部と他のエアー貯留袋との渡し方向における中間近傍にて、その帯幅がもっとも狭くなるように構成される。このように帯幅を狭めることにより、従来の浮具に比べて肘を曲げる動きの妨げになりにくくなる。
＜構成＞
【００１５】
二つの「エアー貯留袋」（０４０２、０４０３）は、腕の挿通空間の周方向に配され、それぞれが独立してエアーの貯留が可能である。図中において「白塗矢印」で示されるのが、腕を挿通する方向である。
【００１６】
一のエアー貯留袋と他のエアー貯留袋とは、各々のエアー貯留袋の外周縁の内の一辺を共有するように近接して配されている。この共有される一辺を構成する部分を「接続縁」（０４０５）という。
【００１７】
また、エアー貯留袋には、エアーの出し入れを行うためと注入したエアーを封止するための「エアー封止口」（０４０６）が備わる。エアー封止口は、一般的な浮き袋に備わり同様の機能を果たす封止口を用いることができる。なお、同様の機能を果たし得るものであれば、その他の封止のための部材を用いてもよい。また、図中は示されないが、他方のエアー貯留袋（０４０３）にもエアー封止口は備わる。なお、エアーは、人の呼気や何らかの空気入れによってエアー貯留袋に注入すればよい。
【００１８】
エアー貯留袋は、一般的な浮輪などと同様にビニールなどの可塑性樹脂を主な材料とし形成され、例えば、２枚のビニールシートを重ねて所定の閉領域の輪郭線にて溶着などの接着加工を施すことで、２枚のビニールシートによって挟まれる密閉空間を形成することができる。このような接着技術として、ウェルダー加工技術などがある。
【００１９】
図５は、本実施例の子供用浮具を挿通方向から視た概念図である。図示するように、二つの「エアー貯留袋」（０５０１、０５０２）と「帯状部」（０５０３）とで閉じられた空間が、腕を通す「挿通空間」（０５０４）となる。この挿通空間の周方向に二つのエアー貯留袋と帯状部が配される。
【００２０】
図６は、本実施例の子供用浮具を、帯状部を正面視にて示した場合の概念図である。本図において、「帯状部」（０６０３）は、説明のため斜線を施して描いている。帯状部は、一の「エアー貯留部」（０６０１）と他の「エアー貯留部」（０６０２）とを渡している。図中の点線で描かれる両端矢印が渡し方向である。図示するように、帯状部は、渡し方向における中間近傍にて帯幅がもっとも狭くなっている。このように帯幅を狭くすることで、腕を挿通した際に従来の腕輪型浮具に対して腕をお曲げたりする動作の妨げになりにくい。
【００２１】
また、この実施例においては、帯状部の形状が渡し方向に対して線対象となるようにしている。このように形成することで、挿通方向がいずれであっても、また、挿通する腕の左右のいずれであっても装着感が変わらず、装着した子供が違和感を覚えにくくなり、違和感により自ら浮具を外したがるというおそれを軽減することができる。
【００２２】
図７は、本実施例の子供用浮具を、エアー貯留袋を正面視にて示した場合の概念図である。一の「エアー貯留袋」（０７０１）と図に現れない他のエアー貯留袋との「接続縁」（０７０２）の長さ「ｗ」が、エアー貯留袋の最大幅「ｗ´」よりも狭くなっている。エアー貯留袋にエアーを貯留すると、袋内のエアーの圧力により張りが出て硬くなる。また、接続縁の両端は子供用浮具の周方向の「辺縁」（０７０３）と交差する。この交差箇所にて辺縁は屈曲する（図５を参照）。
【００２３】
ここで、図８に示すような従来の腕輪型浮具と比較しながら説明する。図８において、「エアー貯留袋」（０８０１）の幅は、「接続縁」（０８０２）に近づくほどに広くなるように形成されている。この場合にエアー貯留袋にエアーを貯留すると、「辺縁」（０８０３）と接続縁との交差箇所に接続縁の屈曲による角ができてしまう。この角により装着した子供自身や近隣の他の子供などに損傷を与えかねない。
【００２４】
図７に示すような本実施例の子供用浮具によれば、上述した角をなだらかにすることができ、より安全である。さらに、説明すると、接続縁と辺縁の交差角度が鈍角となるように形成することで、接続縁と辺縁との交差箇所による角がなだらかになる。
【００２５】
図９は、図７及び図８に示した浮具における接続縁と辺縁との交差箇所を、エアーを貯留しない状態で示す概念図である。図９（ａ）は、図７に示した本実施例における交差箇所を示す概念図である。また、図９（ｂ）は、図８に示した従来の浮具における交差箇所を示す概念図である。
【００２６】
図９（ａ）に示すように、本実施例の子供用浮具では、「接続縁」（０９０１）と「辺縁」（０９０２）との「交差角度」（０９０３）は、鈍角である。一方、図９（ｂ）に示すように、従来の腕輪型浮具では、「接続縁」（０９０４）と「辺縁」（０９０５）との「交差角度」（０９０６）は、鋭角である。
＜効果＞
【００２７】
本実施例の子供用浮具により、帯状部の幅を狭くすることで、腕の短い子供であっても腕の自由を制限しにくくし、延いては腕から浮具が脱落することを防止することができる。
＜実施例２＞
＜概要＞
【００２８】
本実施例の子供用浮具は、二つのそれぞれのエアー貯留袋を形成する部材をそのまま延伸し、延伸した部分同士を溶着することで帯状部を構成する。これにより、一の部材で子供用浮具を形成することができるとともに、帯状部の渡し方向を長めにしたり短めにしたりといった調整が容易な構造とすることができる。
＜構成＞
【００２９】
本実施例の浮帯状部は、渡し方向における中間近傍にて二つのエアー貯留袋から延在する帯状半体が溶着されて構成されている。
【００３０】
図１０は、本実施例の子供用浮具を２枚のビニールシートを重ねて形成する場合であって、二つのエアー貯留袋と帯状部とを環状に閉じて挿通空間を閉じる前の段階の構造を示す概念図である。
【００３１】
図示するように、二つの「エアー貯留袋」（１００１、１００２）は、重ねられたビニールシートに、エアー貯留袋の形作る輪郭を線状に溶着して「辺縁」（１００３）及び「接続縁」（１００４）を形成する。
【００３２】
それぞれのエアー貯留袋を形成するビニールシートは、エアー貯留袋からそのまま延在されており、かつエアー貯留袋から遠ざかるにつれて幅が狭くなるように形成されている。この延在する部分を「帯状半体」（１００５、１００６）という。
【００３３】
そして、例えば、挿通空間を広めにした構造とする場合には、図中の点線矢印にてそれぞれの延在するビニールシートを、それぞれのエアー貯留袋において延在する長さが略同じになるようにカットして帯状半体とする。これは、双方のエアー貯留袋の延在部分について行われるものである。そして、それぞれの帯状半体の端縁を互いに溶着することで、渡し方向における中間近傍にて帯幅がもっとも狭くなる帯状部が形成される。また、図中の一点鎖線矢印にてカットした場合には、挿通空間を狭くした構造とすることができる。
＜効果＞
【００３４】
本実施例によれば、一の部材で子供用浮具を形成することができるとともに、帯状部の渡し方向を長めにしたり短めにしたりといった調整が容易な構造とすることができる。
【符号の説明】
【００３５】
０４０１  子供用浮具
０４０２  エアー貯留袋
０４０３  エアー貯留袋
０４０４  帯状部
０４０５  接続縁
０４０６  エアー封止口
【図１】
0003204630.tif 000003
【図２】
0003204630.tif 000004
【図３】
0003204630.tif 000005
【図４】
0003204630.tif 000006
【図５】
0003204630.tif 000007
【図６】
0003204630.tif 000008
【図７】
0003204630.tif 000009
【図８】
0003204630.tif 000010
【図９】
0003204630.tif 000011
【図１０】
0003204630.tif 000012